【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムに関連付けられている１つ以上のプロセッサが、ユーザに関連付けられているソーシャル・ネットワーキング情報を維持する維持工程であって、前記ユーザがソーシャル・グラフにおいてユーザ・ノードによって表される、前記維持工程と、
前記１つ以上のプロセッサが、前記ソーシャル・グラフの１つ以上のノードをそれぞれの位置に関連付ける関連付け工程と、
前記１つ以上のプロセッサが、位置に関係するソーシャル情報に対する要求をコンピューティング・デバイスから受信する受信工程であって、前記要求が、前記コンピューティング・デバイスの位置と、前記コンピューティング・デバイスの配向と、前記ユーザに関する識別子とを含む、前記受信工程と、
前記１つ以上のプロセッサが、１つ以上の近接ノードに関する関連性スコアを決定する決定工程であって、該決定は、前記要求と、前記ユーザに関連付けられている前記ソーシャル・ネットワーキング情報と、それぞれの前記近接ノードに関する位置情報とに基づいており、各近接ノードが、前記コンピューティング・デバイスの前記位置からしきい距離内の少なくとも１つの位置に関連付けられている、前記決定工程と、
前記１つ以上のプロセッサが、画像とともに表示するために、１つ以上の前記近接ノードのうちの少なくとも１つに関連付けられているソーシャル・ネットワーキング情報を提供する提供工程と
を備える方法。
【請求項２】
前記コンピューティング・デバイスが、画面、ヘッドアップ・ディスプレイ、カメラ、ジャイロスコープ、コンパス、またはそれらの任意の組合せを含む、請求項１に記載の方法。
【請求項３】
前記維持工程が、
１つ以上のカテゴリーによって、前記ユーザに関する親密度情報を維持する工程と、
前記ユーザと前記ソーシャル・ネットワーキング・システムの複数の他のユーザとの間の複数のつながりを維持する工程と
を含む、請求項１に記載の方法。
【請求項４】
前記決定工程が、前記関連性スコアを決定するために、位置値と、関心値と、つながり値と、時間値とを組み合わせる工程を含む、請求項１に記載の方法。
【請求項５】
前記決定工程が、前記近接ノードに関する位置値を決定する工程を含み、該位置値は、（１）前記近接ノードに関連付けられている前記位置と、前記要求における前記位置との間の近接性、（２）前記要求における前記配向、または（３）それらの任意の組合せに基づく、請求項１に記載の方法。
【請求項６】
前記決定工程が、前記近接ノードに関する関心値を決定する工程を含み、該関心値は、前記近接ノードに関連付けられているカテゴリーが前記ユーザに関する親密度情報に関連付けられている前記１つ以上のカテゴリーに含まれるか否かに基づく、請求項１に記載の方法。
【請求項７】
前記決定工程が、前記近接ノードに関するつながり値を決定する工程を含み、該つながり値は、前記近接ノードに対する前記ユーザのつながりの数に基づく、請求項１に記載の方法。
【請求項８】
前記決定工程が、前記近接ノードに関する時間値を決定する工程を含み、該時間値は、現在の時間が前記近接ノードに割り当てられている配信時間範囲内であるか否かに基づく、請求項１に記載の方法。
【請求項９】
前記近接ノードに割り当てられている配信時間範囲が前記配信時間範囲に関連付けられている行動を有し、前記行動が前記ユーザによって実行される、請求項１に記載の方法。
【請求項１０】
前記近接ノードに割り当てられている配信時間範囲は、前記近接ノードが前記ユーザによって受信されるのに適しているか否かを示している、請求項１に記載の方法。
【請求項１１】
前記受信工程が、前記コンピューティング・デバイスから前記位置を受信する工程を含む、請求項１に記載の方法。
【請求項１２】
前記位置が所定の間隔により前記コンピューティング・デバイスから受信される、請求項１１に記載の方法。
【請求項１３】
前記ソーシャル・グラフのノードに対するユーザ露出を記憶する工程をさらに備える、請求項１に記載の方法。
【請求項１４】
前記１つ以上の近接ノードのうちの少なくとも１つに対する前記ユーザ露出に基づいて、前記１つ以上の近接ノードのうちの前記少なくとも１つの前記関連性スコアを調整する工程をさらに備える、請求項１３に記載の方法。
【請求項１５】
前記１つ以上の近接ノードを該近接ノードの関連性スコアによってランク付けする工程をさらに備える、請求項１に記載の方法。
【請求項１６】
近接ノードとの関連付けにより前記ユーザによる行動を示す指示を受信する工程と、
前記指示に応じて、前記ソーシャル・グラフを更新する工程と
をさらに備える、請求項１に記載の方法。
【請求項１７】
前記ソーシャル・グラフの前記１つ以上のノードが、第三者によって提供されている情報、前記ソーシャル・ネットワーキング・システムとのユーザの対話に関する情報、またはそれらの任意の組合せを含む、請求項１に記載の方法。
【請求項１８】
実行時に、
ソーシャル・ネットワーキング・システムに関連付けられている１つ以上のプロセッサが、ユーザに関連付けられているソーシャル・ネットワーキング情報を維持することであって、前記ユーザがソーシャル・グラフにおいてユーザ・ノードによって表される、前記維持することと、
前記１つ以上のプロセッサが、前記ソーシャル・グラフの１つ以上のノードをそれぞれの位置に関連付けることと、
前記１つ以上のプロセッサが、位置に関係するソーシャル情報に対する要求をコンピューティング・デバイスから受信することであって、前記要求が、前記コンピューティング・デバイスの位置と、前記コンピューティング・デバイスの配向と、前記ユーザに関する識別子とを含む、前記受信することと、
前記１つ以上のプロセッサが、１つ以上の近接ノードに関する関連性スコアを決定することであって、該決定は、前記要求と、前記ユーザに関連付けられている前記ソーシャル・ネットワーキング情報と、それぞれの前記近接ノードに関する位置情報とに基づいており、各近接ノードが、前記コンピューティング・デバイスの前記位置からしきい距離内の少なくとも１つの位置に関連付けられている、前記決定することと、
前記１つ以上のプロセッサが、画像とともに表示するために、１つ以上の前記近接ノードのうちの少なくとも１つに関連付けられているソーシャル・ネットワーキング情報を提供することと
を行うように動作可能なソフトウェアを具現化する、１つ以上のコンピュータ可読非一時的記憶媒体。
【請求項１９】
ソーシャル・ネットワーキング・システムに関連付けられている１つ以上のプロセッサと、
前記プロセッサによって実行可能な命令を含み前記プロセッサに結合されているメモリと
を備える
ソーシャル・ネットワーキング・システムであって、前記プロセッサが、前記命令の実行時に、
ユーザに関連付けられているソーシャル・ネットワーキング情報を維持することであって、前記ユーザがソーシャル・グラフにおいてユーザ・ノードによって表される、前記維持することと、
前記ソーシャル・グラフの１つ以上のノードをそれぞれの位置に関連付けることと、
位置に関係するソーシャル情報に対する要求をコンピューティング・デバイスから受信することであって、前記要求が、前記コンピューティング・デバイスの位置と、前記コンピューティング・デバイスの配向と、前記ユーザに関する識別子とを含む、前記受信することと、
前記要求と、前記ユーザに関連付けられている前記ソーシャル・ネットワーキング情報と、それぞれの近接ノードに関する位置情報とに基づいて、１つ以上の前記近接ノードに関する関連性スコアを決定することであって、各近接ノードが、前記コンピューティング・デバイスの前記位置からしきい距離内の少なくとも１つの位置に関連付けられている、前記決定することと、
画像とともに表示するために、１つ以上の前記近接ノードのうちの少なくとも１つに関連付けられているソーシャル・ネットワーキング情報を提供することと
を行うように動作可能な、ソーシャル・ネットワーキング・システム。
【請求項２０】
１つ以上の前記近接ノードのうちの少なくとも１つに関連付けられている前記ソーシャル・ネットワーキング情報が前記ユーザに関連付けられているコンピューティング・デバイスに提供される、請求項１９に記載のシステム。